Podtech/llm-jp-corpus-v4-ja_patent huggingface dataset:
【手続補正書】
【提出日】平成19年11月28日(2007.11.28)
【手続補正１】
【補正対象書類名】特許請求の範囲
【補正対象項目名】全文
【補正方法】変更
【補正の内容】
【特許請求の範囲】
【請求項１】
歯科用修復ならびに骨インプラントおよび修復向けの物質の組成物であって、
リン酸一カルシウム一水和物、無水リン酸一カルシウム、無水リン酸二カルシウム、リン酸二カルシウム二水和物、リン酸八カルシウム、α−リン酸三カルシウム、β−リン酸三カルシウム、非晶質リン酸カルシウム、ヒドロキシアパタイト、リン酸四カルシウム、およびこれらの組合せからなる群から選択される１種または複数のリン酸カルシウム塩を含む粉末状カルシウム化合物と、
リン酸一カルシウム一水和物、無水リン酸一カルシウム、またはこれらの組合せに関して飽和している酸性リン酸カルシウム溶液と
を含む組成物。
【請求項２】
前記粉末状カルシウム化合物が、酸化カルシウム、水酸化カルシウム、炭酸カルシウム、グリセロリン酸カルシウム、グルコン酸カルシウム、硫酸カルシウム、乳酸カルシウム、およびこれらの組合せからなる群から選択される１種または複数のカルシウム塩を含む、請求項１に記載の組成物。
【請求項３】
薬物、充填材料、結晶調整剤、粘度調節剤、ゲル化剤、増孔剤、再吸収性および非再吸収性繊維およびメッシュ、骨誘導因子、骨形態形成タンパク質、ならびに他のタンパク質からなる群から選択される１種または複数の添加剤を含む、請求項１に記載の組成物。
【請求項４】
前記１種または複数の添加剤が、ヒドロキシプロピルメチルセルロース、カルボキシメチルセルロース、キトサン、キトサン誘導体、コラーゲン、ガム、ゼラチン、およびアルギン酸塩、ならびにこれらの組合せからなる群から選択されるゲル化剤である、請求項３に記載の組成物。
【請求項５】
前記１種または複数の添加剤が充填材料である、請求項３に記載の組成物。
【請求項６】
前記１種または複数の添加剤が増孔剤である、請求項３に記載の組成物。
【請求項７】
前記酸性組成物のｐＨが、最初約０から約１．９である、請求項１に記載の組成物。
【請求項８】
歯科用修復ならびに骨インプラントおよび修復向けの物質の組成物であって、
リン酸一カルシウム一水和物、無水リン酸一カルシウム、無水リン酸二カルシウム、リン酸二カルシウム二水和物、リン酸八カルシウム、α−リン酸三カルシウム、β−リン酸三カルシウム、非晶質リン酸カルシウム、ヒドロキシアパタイト、リン酸四カルシウム、およびこれらの組合せからなる群から選択される１種または複数のリン酸カルシウム塩を含む粉末状カルシウム化合物と、
リン酸二カルシウム二水和物、無水リン酸二カルシウム、またはこれらの組合せに関して飽和している酸性リン酸カルシウム溶液と
を含む組成物。
【請求項９】
前記粉末状カルシウム化合物が、酸化カルシウム、水酸化カルシウム、炭酸カルシウム、グリセロリン酸カルシウム、グルコン酸カルシウム、硫酸カルシウム、乳酸カルシウム、およびこれらの組合せからなる群から選択される１種または複数のカルシウム塩を含む、請求項８に記載の組成物。
【請求項１０】
薬物、充填材料、結晶調整剤、粘度調節剤、ゲル化剤、増孔剤、再吸収性および非再吸収性繊維およびメッシュ、骨誘導因子、骨形態形成タンパク質、ならびに他のタンパク質からなる群から選択される１種または複数の添加剤を含む、請求項８に記載の組成物。
【請求項１１】
前記１種または複数の添加剤が、ヒドロキシプロピルメチルセルロース、カルボキシメチルセルロース、キトサン、キトサン誘導体、コラーゲン、ガム、ゼラチン、およびアルギン酸塩、ならびにそれらの組合せからなる群から選択されるゲル化剤である、請求項１０に記載の組成物。
【請求項１２】
前記１種または複数の添加剤が充填材料である、請求項１０に記載の組成物。
【請求項１３】
前記１種または複数の添加剤が増孔剤である、請求項１０に記載の組成物。
【請求項１４】
前記酸性組成物のｐＨが、最初約１．９〜約４．３である、請求項１に記載の組成物。
【請求項１５】
骨および歯の欠損部を修復する方法であって、
（ａ）請求項１および８のいずれか１項に記載の組成物を調製するステップと、
（ｂ）前記組成物が硬化する前に、前記組成物を前記欠損部に充填するステップと
を含む方法。
【請求項１６】
リン酸カルシウム骨セメントであって、周囲温度で自己硬化しまた生体骨と接触させてインプラントする場合再吸収可能であり、請求項１および８のいずれか１項に記載の組成物を含む骨セメント。
【手続補正書】
【提出日】平成20年1月30日(2008.1.30)
【手続補正１】
【補正対象書類名】特許請求の範囲
【補正対象項目名】全文
【補正方法】変更
【補正の内容】
【特許請求の範囲】
【請求項１】
網膜変性を治療又は予防する医薬組成物であって、哺乳動物の胚性幹細胞に由来するＲＰＥ細胞、ＲＰＥ様細胞、ＲＰＥ又はＲＰＥ様前駆体のうち少なくとも１種からなる群から選択される細胞を含む、上記医薬組成物。
【請求項２】
網膜変性の病態が、色素性網膜炎及び黄斑変性のうち少なくとも１種からなる群から選択される、請求項１に記載の医薬組成物。
【請求項３】
前記治療又は予防が、硝子体切除術によって、前記細胞を眼の網膜下空間へと移植するステップをさらに含む、請求項１に記載の医薬組成物。
【請求項４】
前記細胞が、懸濁液、マトリックス、又は基質中で移植される、請求項３に記載の医薬組成物。
【請求項５】
前記色素性網膜炎が動物モデルに伴う、請求項２に記載の医薬組成物。
【請求項６】
前記動物モデルが、ｒｄマウス、ＲＰＥ−６５ノックアウトマウス、タビー（ｔｕｂｂｙ）様マウス、ＲＣＳラット、アビシニアネコ（Ａｂｙｓｓｉｎｉａｎ  ｃａｔ）、錐体変性「ｃｄ」イヌ、進行性杆体−錐体変性「ｐｒｃｄ」イヌ、初期網膜変性「ｅｒｄ」イヌ、杆体−錐体異形成１、２及び３「ｒｃｄ１、ｒｃｄ２及びｒｃｄ３」のイヌ、光受容体異形成「ｐｄ」イヌ、及びブリアール（Ｂｒｉａｒｄ）「ＲＰＥ−６５」イヌからなる群から選択される、請求項５に記載の医薬組成物。
【請求項７】
１種又は複数種の行動試験、蛍光血管造影、組織検査、及び貪食（光受容体の断片）を行う細胞の能力、ビタミンＡの代謝、密着帯の伝導性の測定や、電子顕微鏡法を用いた評価などの機能試験を用いて、前記動物モデルにおける前記治療の結果を評価する、請求項６に記載の医薬組成物。
【請求項８】
ｈＥＳ細胞を、ＲＰＥ、ＲＰＥ様、又はＲＰＥ前駆体細胞へと自発的に分化させる方法であって、
ａ）ＭＥＦ上でｈＥＳ細胞培養物を過剰増殖させるステップと、
ｂ）前記ｈＥＳ細胞培養物に細胞の厚い多層を形成させるステップと、
ｃ）前記ｈＥＳ細胞を培養するステップと、
ｄ）得られた細胞培養物から色素性のＲＰＥ、ＲＰＥ様、及び／又はＲＰＥ前駆細胞を単離し培養するステップとを含む方法。
【請求項９】
前記ＲＰＥ様細胞を単離し培養するステップが、
ａ）前記培養したｈＥＳ細胞又はＥＢ細胞を酵素で消化するステップと、
ｂ）前記色素性細胞を選択的に単離するステップと、
ｃ）ゼラチン又はラミニン上に前記単離細胞を播いて１〜２日間置いて初代培養物（Ｐ０）を形成させるステップと、
ｄ）前記初代培養物を最大３週間継続して培養するステップと、
ｅ）前記ＲＰＥ様細胞を単離するステップとを含む、請求項８に記載の方法。
【請求項１０】
前記酵素が、トリプシン、コラゲナーゼ、及びディスパーゼのうち１種又は複数種からなる群から選択される、請求項９に記載の方法。
【請求項１１】
前記ＲＰＥ細胞を増殖させて新たなＲＰＥ細胞系を樹立する、請求項８に記載の方法。
【請求項１２】
前記ＲＰＥ細胞系を代替の系統へと分化させ、培養中の前記ＲＰＥ細胞系をｂＦＧＦ又はＦＧＦで処理するステップを含む、請求項１１に記載の方法。
【請求項１３】
前記新たなＲＰＥ細胞系が、異なるＥＳ細胞系に由来するとき、ＲＰＥ様細胞の、増殖速度、色素の発現、培養中での脱分化、及び培養中での再分化からなる群から選択される少なくとも１つの特徴において、すでに樹立されているＲＰＥ細胞系と異なる、請求項１１に記載の方法。
【請求項１４】
ＲＰＥ系又は前駆体を、血管新生を防止する能力が亢進したＲＰＥ細胞へと誘導する方法であって、
ａ）動物の体細胞の正常な複製寿命の少なくとも１０％が過ぎるまでテロメラーゼが短くなるように前記細胞を加齢させるステップと、
ｂ）前記体細胞を核移植供与細胞として使用して、血管形成阻害因子を過剰発現する細胞を作製し、前記血管形成阻害因子が色素上皮由来因子（ＰＥＤＦ／ＥＰＣ−１）であり得るステップとを含む方法。
【請求項１５】
血管新生を阻害する外来遺伝子で前記体細胞を遺伝子改変する、請求項１４に記載の方法。
【請求項１６】
前記ＲＰＥ様細胞が、ＨＬＡ領域でホモ接合性があるＥＳ又は胚由来細胞バンクに由来し、その結果ＥＳ由来細胞のＨＬＡ抗原の複雑性が低下する、請求項８に記載の方法。
【請求項１７】
前記ＥＳ細胞がヒトに由来する、請求項８に記載の方法。
【請求項１８】
ＲＰＥ様細胞又は前駆細胞を移植するステップを含むパーキンソン病の治療のための医薬組成物。
【請求項１９】
ヒトを除く動物モデルに伴う色素性網膜炎を治療又は予防する方法であって、哺乳動物の胚性幹細胞に由来するＲＰＥ細胞、ＲＰＥ様細胞、ＲＰＥ又はＲＰＥ様前駆体のうち少なくとも１種からなる群から選択される細胞を使用するステップを含む、上記方法。
【請求項２０】
前記動物モデルが、ｒｄマウス、ＲＰＥ−６５ノックアウトマウス、タビー（ｔｕｂｂｙ）様マウス、ＲＣＳラット、アビシニアネコ（Ａｂｙｓｓｉｎｉａｎ  ｃａｔ）、錐体変性「ｃｄ」イヌ、進行性杆体−錐体変性「ｐｒｃｄ」イヌ、初期網膜変性「ｅｒｄ」イヌ、杆体−錐体異形成１、２及び３「ｒｃｄ１、ｒｃｄ２及びｒｃｄ３」のイヌ、光受容体異形成「ｐｄ」イヌ、及びブリアール（Ｂｒｉａｒｄ）「ＲＰＥ−６５」イヌからなる群から選択される、請求項１９に記載の方法。
【請求項２１】
１種又は複数種の行動試験、蛍光血管造影、組織検査、及び貪食（光受容体の断片）を行う細胞の能力、ビタミンＡの代謝、密着帯の伝導性の測定や、電子顕微鏡法を用いた評価などの機能試験を用いて、前記動物モデルにおける前記治療の結果を評価する、請求項２０に記載の方法。
【手続補正書】
【提出日】平成19年12月25日(2007.12.25)
【手続補正１】
【補正対象書類名】特許請求の範囲
【補正対象項目名】全文
【補正方法】変更
【補正の内容】
【特許請求の範囲】
【請求項１】
固体酸、水素化金属、および６００℃における強熱減量として測定された水１．５〜６重量％を含む触媒の存在下に、アルキル化されるべき飽和炭化水素供給原料をアルキル化剤と接触させることを含む、飽和炭化水素供給原料をアルキル化する方法。
【請求項２】
触媒が水１．８〜４重量％を含む、請求項１に従う方法。
【請求項３】
触媒が水２〜３重量％を含む、請求項２に従う方法。
【請求項４】
固体酸が、ゼオライト、シリカ−アルミナ、硫酸化酸化物、ジルコニウム、モリブデン、タングステン、若しくはリンの混合酸化物、塩素化アルミニウム酸化物または塩素化粘土、およびこれらの混合物からなる群から選ばれる、請求項１〜３のいずれか１項に従う方法。
【請求項５】
固体酸が、モルデナイト、ベータゼオライト、Ｘ−ゼオライト、およびＹ−ゼオライトからなる群から選ばれたゼオライトである、請求項４に従う方法。
【請求項６】
水素化金属が第VIII族の貴金属である、請求項１〜５のいずれか１項に従う方法。
【請求項７】
触媒が、アルキル化方法に使用される前に、固体酸および水素化金属を含む乾燥触媒に水を加えることによって調製される、請求項１〜６のいずれか１項に従う方法。
【請求項８】
水１．５重量％未満を含む触媒を使用してアルキル化方法が開始され、そしてアルキル化方法の間に水が触媒に加えられる、請求項１〜７のいずれか１項に従う方法。
【請求項９】
再生された触媒を水含有雰囲気に曝露することによって、または再生段階の間に水含有雰囲気を使用することによって、アルキル化方法の間に水が触媒に加えられる、請求項１〜８のいずれか１項に従う方法。
【手続補正書】
【提出日】平成20年1月28日(2008.1.28)
【手続補正１】
【補正対象書類名】特許請求の範囲
【補正対象項目名】全文
【補正方法】変更
【補正の内容】
【特許請求の範囲】
【請求項１】
式（Ｉ）
【化１】
2007522135.tif 000001
式中、
それぞれのＲｌは、Ｈ、アルキル、ペルハロアルキル、シクロアルキル、シクリル、アリール、ヘテロシクロアルキル、ヘテロシクリル、ヘテロアリールであり、それぞれは随意に、ハロ、ＣＮ、ＮＯ２、Ｃ（Ｏ）ＯＨ、Ｃ（Ｏ）ＯＲ、ハロアルキルまたは電子求引性基である１〜４個の基により置換され；
それぞれのＲ２は、アルキル、ペルハロアルキル、シクロアルキル、シクリル、アリール、ヘテロシクロアルキル、ヘテロシクリルまたはヘテロアリールであり、それぞれは随意に、ハロ、ＣＮ、ＮＯ２、Ｃ（Ｏ）ＯＨ、Ｃ（Ｏ）ＯＲ、ハロアルキルまたは電子求引性基である１〜４個の基により置換され；
またはＲｌおよびＲ２は、それらが両方結合している窒素と一緒に、ヘテロシクロアルキル、ヘテロシクリルまたはヘテロアリール環であり、随意にハロ、アルキル、Ｃ（Ｏ）ＯＨ、Ｃ（Ｏ）ＯＲ、ハロアルキルである１個または２個以上の基により置換され；
Ｒはそれぞれ独立して、アルキル、アルケニル、アルキニル、シクロアルキル、シクリル、アラルキル、またはヘテロアラルキルであり；および
ｎおよびｍはそれぞれ独立して、０または１である、
で表される化合物、またはその薬学的に許容しうる塩、溶媒和物、または水和物。
【手続補正書】
【提出日】平成19年12月18日(2007.12.18)
【手続補正１】
【補正対象書類名】特許請求の範囲
【補正対象項目名】全文
【補正方法】変更
【補正の内容】
【特許請求の範囲】
【請求項１】
第１の端部および第２の端部を備える半円形バンド部分を備え、小柱を通る挿入に適した内部乳頭形成術心臓補綴具であって：
該第１の端部がテザーの第１の部分を含み；
該第２の端部がテザーの第２の部分を含み、
１つ以上の連結部材が該半円形バンドを乳頭筋に連結し、ここで、該テザーの第１の部分および第２の部分が互いに固定され、調節可能な半円形のバンドを提供する、心臓補綴具。
【請求項２】
前記バンドが、管状である、請求項１に記載の心臓補綴具。
【請求項３】
前記バンドが、単一のロッドである、請求項１に記載の心臓補綴具。
【請求項４】
前記バンドが、ダクロン、テフロン（登録商標）、ポリウレタン、ナイロン、ポリエステル、シラスティック、ニチノール、ニチノールメッシュ、チタン、チタンメッシュ、心膜、肋膜、腹膜、硬膜、腱および動脈からなる群から選択される生体適合性材料である、請求項１に記載の心臓補綴具。
【請求項５】
前記バンドが、約１．５ミリメートルと約６ミリメートルとの間の断面を有する、請求項１に記載の心臓補綴具。
【請求項６】
前記可撓性の半円形バンド部分が、約５０ミリメートルと約１００ミリメートルとの間の長さを有する、請求項１に記載の心臓補綴具。
【請求項７】
前記テザーが、縫合糸、迅速連結物、圧迫帯、あおり止めかぎホック、クラスプ、ねじ、ステープルまたはラチェットである、請求項１に記載の心臓補綴具。
【請求項８】
前記チューブ内に内部に配置された引きひもをさらに備える、請求項２に記載の心臓補綴具。
【請求項９】
２つのフォーク状プロングに取り付けられたハンドルを備える三角−乳頭サイジングデバイスであって：
該２つのフォーク状プロングが、近位部分、および各々が等価な長さを有する２つの遠位端を有し、ここで該近位部分が該２つのプロングを連結し、ここで該２つの遠位端が丸められ、そしてここで該２つのプロング間の距離と該２つのプロングの長さが等しく、該距離が三角間距離に等しい、三角−乳頭サイジングデバイス。
【請求項１０】
前記２つのプロングが、単一の平面状単位構造を形成する、請求項９に記載の三角−乳頭サイジングデバイス。
【請求項１１】
前記単一の平面状単位構造が、平面から外に湾曲する、請求項１０に記載の三角−乳頭サイジングデバイス。
【請求項１２】
前記装置が、透明材料から形成される、請求項９に記載の三角−乳頭サイジングデバイス。
【請求項１３】
梱包された医療デバイスであって：
第１の端部および第２の端部を備える半円形のバンド部分を備え、小柱を通る挿入に適切な内部乳頭形成術心臓補綴具であって：
該第１の端部がテザーの第１の部分を含み；
該第２の端部が該テザーの第２の部分を含み、ここで、該テザーの第１の部分および第２の部分が互いに固定されて、調節可能な半円形のバンドを提供する心臓補綴具；
該半円形バンドを乳頭筋に連結する１つ以上の連結部材；および
該心臓補綴具を、乳頭筋、僧帽弁の輪または三尖弁の輪の周りに位置決めするための指示書、を備える、梱包された医療デバイス。
【手続補正書】
【提出日】平成20年2月18日(2008.2.18)
【手続補正１】
【補正対象書類名】特許請求の範囲
【補正対象項目名】全文
【補正方法】変更
【補正の内容】
【特許請求の範囲】
【請求項１】
基板と結合した多数の第一のリザーバと、ここで該多数の第一のリザーバの内の選択されたリザーバが、還元剤を含み、かつ該多数の第一のリザーバの内の選択されたものの、第一リザーバ表面が、第一基板表面と近接しており、
該基板と結合した多数の第二のリザーバとを含み、ここで該多数の第二のリザーバの内の選択されたリザーバが、酸化剤を含み、かつ該多数の第二のリザーバの内の選択されたものの、第二リザーバ表面が、該第一基板表面と近接していることを特徴とする、装置。
【請求項２】
第一の基板表面および第二の基板表面を持つ基板と；
該基板と結合した、第一の材料組成物製の、多数の第一のリザーバと、ここで該多数の第一のリザーバから選択された第一リザーバ表面が、該第一の基板表面において露出しており、かつ該第一の材料組成物が第一の電位を有し；
該多数の第一のリザーバに隣接する、該基板と結合した、第二の材料組成物製の多数の第二のリザーバとを含み、ここで該多数の第二のリザーバから選択された第二リザーバ表面が、該第一の基板表面において露出し、かつ該第一リザーバ表面の内の隣接するものとは、物理的に分離しており、また該第二の材料組成物が第二の電位を有し、該第二の電位が、該第一の電位とは異なっている、ことを特徴とする装置。
【請求項３】
第一の表面を持つ基板と； 
装置と結合した、多数の間隔を置いて配置された、異種のリザーバとを含み、ここで該装置は、電気的に独立であり、かつ活性化した際に、外部電源を必要とすること無しに、該多数の間隔を置いて配置された、1またはそれ以上の、異種のリザーバ間に、電流を発生することができる、ことを特徴とする装置。
【請求項４】
基板と、
該基板と結合した、多数の第一のリザーバと、ここで該多数の第一のリザーバの内の選択されたリザーバが、還元剤を含み、かつ該多数の第一のリザーバの内の選択されたものの、第一リザーバ表面が、第一基板表面と近接しており；
該基板と結合した多数の第二のリザーバとを含み、ここで該多数の第二のリザーバの内の選択されたリザーバが、酸化剤を含み、かつ該多数の第二のリザーバの内の選択されたものの、第二リザーバ表面が、該第一基板表面と近接していることを特徴とする、組織接触装置。
【請求項５】
可撓性の基板と； 
該基板と結合した、多数の第一のリザーバと、ここで該多数の第一のリザーバの内の選択されたリザーバが、還元剤を含み、かつ該多数の第一のリザーバの内の選択されたものの、第一リザーバ表面が、第一基板表面と近接しており；
該基板と結合した多数の第二のリザーバとを含み、ここで該多数の第二のリザーバの内の選択されたリザーバが、酸化剤を含み、かつ該多数の第二のリザーバの内の選択されたものの、第二リザーバ表面が、該第一基板表面と近接している、ことを特徴とする、創傷用の包帯。
【請求項６】
実質的に目の表面の輪郭を持つように形成された基板と；
該基板と結合した、多数の第一のリザーバと、ここで該多数の第一のリザーバの内の選択されたリザーバが、還元剤を含み、かつ該多数の第一のリザーバの内の選択されたものの、第一リザーバ表面が、第一基板表面と近接しており；
該基板と結合した多数の第二のリザーバとを含み、ここで該多数の第二のリザーバの内の選択されたリザーバが、酸化剤を含み、かつ該多数の第二のリザーバの内の選択されたものの、第二リザーバ表面が、該第一基板表面と近接していることを特徴とする、目と接触する装置。
【請求項７】
実質的に耳管の輪郭を持つように形成された基板と；
該基板と結合した、多数の第一のリザーバと、ここで該多数の第一のリザーバの内の選択されたリザーバが、還元剤を含み、かつ該多数の第一のリザーバの内の選択されたものの、第一リザーバ表面が、第一基板表面と近接しており；
該基板と結合した多数の第二のリザーバとを含み、ここで該多数の第二のリザーバの内の選択されたリザーバが、酸化剤を含み、かつ該多数の第二のリザーバの内の選択されたものの、第二リザーバ表面が、該第一基板表面と近接していることを特徴とする、耳管インサート。
【請求項８】
実質的に膣領域内表面の輪郭を持つように形成された基板と；
該基板と結合した、多数の第一のリザーバと、ここで該多数の第一のリザーバの内の選択されたリザーバが、還元剤を含み、かつ該多数の第一のリザーバの内の選択されたものの、第一リザーバ表面が、第一基板表面と近接しており；
該基板と結合した多数の第二のリザーバとを含み、ここで該多数の第二のリザーバの内の選択されたリザーバが、酸化剤を含み、かつ該多数の第二のリザーバの内の選択されたものの、第二リザーバ表面が、該第一基板表面と近接していることを特徴とする、膣内装置。
【請求項９】
可撓性の基板と； 
該基板と結合した、多数の第一のリザーバと、ここで該多数の第一のリザーバの内の選択されたリザーバが、還元剤を含み、かつ該多数の第一のリザーバの内の選択されたものの、第一リザーバ表面が、第一基板表面と近接しており；
該基板と結合した多数の第二のリザーバとを含み、ここで該多数の第二のリザーバの内の選択されたリザーバが、酸化剤を含み、かつ該多数の第二のリザーバの内の選択されたものの、第二リザーバ表面が、該第一基板表面と近接していることを特徴とする、内部人工装具。
【請求項１０】
基板と、多数の第一のリザーバとを結合する工程と、ここで該多数の第一のリザーバの内の選択されたリザーバは、還元剤を含み、かつ該多数の第一のリザーバの内の選択されたものの、第一リザーバ表面は、第一基板表面と近接しており；
該基板と、多数の第二のリザーバとを結合する工程とを含み、ここで該多数の第二のリザーバの内の選択されたリザーバが、酸化剤を含み、かつ該多数の第二のリザーバの内の選択されたものの、第二リザーバ表面が、該第一基板表面と近接していることを特徴とする、装置の製造方法。
【請求項１１】
生物組織の所定領域を処置するための装置であって、該装置が、
基板と結合した多数の第一のリザーバと、ここで該多数の第一のリザーバの内の選択されたリザーバが、還元剤を含み、かつ該多数の第一のリザーバの内の選択されたものの、第一リザーバ表面が、第一基板表面と近接しており、
該基板と結合した多数の第二のリザーバとを含み、ここで該多数の第二のリザーバの内の選択されたリザーバが、酸化剤を含み、かつ該多数の第二のリザーバの内の選択されたものの、第二リザーバ表面が、該第一基板表面と近接していることを特徴とする、上記装置。
【請求項１２】
生物組織（ヒトの組織を除く）の所定領域を処置する方法であって、該方法が、該生物組織の所定領域に所定の装置を適用する工程を含み、該装置が、
基板と結合した多数の第一のリザーバと、ここで該多数の第一のリザーバの内の選択されたリザーバが、還元剤を含み、かつ該多数の第一のリザーバの内の選択されたものの、第一リザーバ表面が、第一基板表面と近接しており、
該基板と結合した多数の第二のリザーバとを含み、ここで該多数の第二のリザーバの内の選択されたリザーバが、酸化剤を含み、かつ該多数の第二のリザーバの内の選択されたものの、第二リザーバ表面が、該第一基板表面と近接していることを特徴とする、上記方法。
【手続補正書】
【提出日】平成20年1月22日(2008.1.22)
【手続補正１】
【補正対象書類名】特許請求の範囲
【補正対象項目名】全文
【補正方法】変更
【補正の内容】
【特許請求の範囲】
【請求項１】
少なくとも第１の面と第２の面とを備えたベース層を有するフックストランドであって、少なくとも１つの面から単一列にて延在する一体的に形成されたフック要素を有し、該フック要素は、当該フックストランドの長手方向から１〜９０度の角度で延在するフック係合アームを有し、前記ベース層は、配向された熱可塑性樹脂である、フックストランド。
【請求項２】
前記フックストランドは、熱可塑性樹脂から形成され、前記フック係合アームが、前記フックストランドの前記長手方向から３０〜９０度の角度で延在している、請求項１に記載のフックストランド。
【請求項３】
前記フック係合アームは、前記ベース層の２つ以上の面から延在している、請求項１または請求項２に記載のフックストランド。
【請求項４】
前記フック係合アームは、前記ベース層の３つ以上の面から延在している、請求項３に記載のフックストランド。
【請求項５】
前記フック要素は２つの互い反対の平坦面を実質的に有する、請求項１に記載のフックストランド。
【請求項６】
１センチメートル当たり１０〜５０個のフック要素がある、請求項１に記載のフックストランド。
【手続補正書】
【提出日】平成20年2月15日(2008.2.15)
【手続補正１】
【補正対象書類名】特許請求の範囲
【補正対象項目名】全文
【補正方法】変更
【補正の内容】
【特許請求の範囲】
【請求項１】
増殖性疾患を有する対象において、細胞毒性因子と組み合わせたｍＴＯＲ阻害剤での処置に対する該対象の感受性を測定するためのバイオマーカーとしての、ｐ５３(ＴＰ５３)状態の決定の使用。
【請求項２】
ｐ５３(ＴＰ５３)遺伝子分析およびｐ５３の発現／翻訳後修飾レベルの使用を含む、請求項１記載の使用。
【請求項３】
ｍＴＯＲ阻害剤と細胞毒性因子の組み合わせ処置に対する、増殖性疾患の感受性を対象において測定する方法であって、該対象由来のサンプルにおけるｐ５３(ＴＰ５３)遺伝子の状態および／またはｐ５３の発現／翻訳後修飾レベルを測定することを含む、方法。
【請求項４】
増殖性疾患が癌を含む、請求項１から３のいずれかに記載の方法または使用。
【請求項５】
ｐ５３(ＴＰ５３)の遺伝的状態および／またはｐ５３の発現レベルの測定を含む、請求項３から４のいずれかに記載の方法。
【請求項６】
サンプルが対象における腫瘍由来である、請求項３から５のいずれかに記載の方法。
【請求項７】
増殖性疾患を有する対象をｍＴＯＲ阻害剤と細胞毒性因子の組み合わせ処置のために選択する方法であって、請求項３から６のいずれかに記載の方法により各対象における増殖性疾患の該組み合わせ処置に対する感受性を測定し、野生型ｐ５３(ＴＰ５３)状態を示す対象を組み合わせ処置のために選択することを含む、方法。
【請求項８】
ｍＴＯＲ阻害剤がラパマイシンまたはラパマイシン誘導体を含む、請求項１から７のいずれかに記載の方法または使用。
【請求項９】
ラパマイシン誘導体が４０−Ｏ−(２−ヒドロキシエチル)ラパマイシン、４０−[３−ヒドロキシ−２−(ヒドロキシメチル)−２−メチルプロパノエート]−ラパマイシンまたは４０−エピ−(テトラゾリル)−ラパマイシンを含む、請求項８記載の方法または使用。
【請求項１０】
細胞毒性因子が抗新生物代謝拮抗剤、白金化合物、アルキル化剤、トポイソメラーゼＩまたはII阻害剤、微小管活性化剤および放射線照射から選択される、請求項１から９のいずれかに記載の方法または使用。
【請求項１１】
対象における細胞毒性因子と組み合わせたｍＴＯＲ阻害剤での処置に対する増殖性疾患の感受性または応答を測定するためのバイオマーカーとしてのｐ２１の使用。
【請求項１２】
ｐ２１発現のレベルを測定することを含む、請求項１１記載の方法。
【請求項１３】
対象における増殖性疾患の細胞毒性因子と組み合わせたｍＴＯＲ阻害剤に対する感受性または応答を測定する方法であって、該対象由来のサンプルにおける細胞毒性因子単独での処置後の、および、細胞毒性因子とｍＴＯＲ阻害剤の組み合わせ処置後のｐ２１発現レベルを測定することを含む、方法。
【請求項１４】
細胞毒性因子で処置している対象における、該細胞毒性因子の活性を増強するまたは細胞毒性因子に対する耐性を克服する方法であって、
−  該対象由来のサンプルにおけるｐ２１発現レベルを測定し、
−  ｐ２１発現が細胞毒性因子投与後に上方制御されているとき、該対象に治療的有効量のｍＴＯＲ阻害剤を細胞毒性因子と組み合わせて投与し、
−  ｍＴＯＲ阻害剤と細胞毒性因子の組み合わせ処置後の該対象由来の新規サンプルにおけるｐ２１発現レベルを再び測定し、そして
−  ｐ２１発現が下方制御されているとき、該対象を、細胞毒性因子と同時にまたは連続的に、ｍＴＯＲ阻害剤でさらに処置する
ことを含む、方法。
【手続補正２】
【補正対象書類名】明細書
【補正対象項目名】０００８
【補正方法】変更
【補正の内容】
【０００８】
他の局面において、本発明は、増殖性疾患を有する対象を細胞毒性因子と併用したｍＴＯＲ阻害剤での処置のために選択する方法であって、上記方法により各対象における増殖性疾患の組み合わせ処置に対する感受性を測定し、そして、野生型ｐ５３(ＴＰ５３)遺伝子を保持する対象を該組み合わせ処置のために選択することを含む方法を提供する。
【手続補正書】
【提出日】平成20年1月30日(2008.1.30)
【手続補正１】
【補正対象書類名】特許請求の範囲
【補正対象項目名】全文
【補正方法】変更
【補正の内容】
【特許請求の範囲】
【請求項１】
哺乳類のＧＰＩ−ＰＬＣの活性を調節する化合物の同定方法であって、
ａ）哺乳類細胞をグリメピリドとインキュベートし；
ｂ）ａ）の細胞のｈｃＤＩＧを調製し；
ｃ）ｂ）のｈｃＤＩＧを化合物とインキュベートし；そして
ｄ）ｃ）のｈｃＤＩＧからのＧＰＩ−ＰＬＣの活性を定量する；
ことを含む方法。
【請求項２】
ステップａ）の哺乳類細胞が齧歯類又はイヌの細胞である、請求項１に記載の方法。
【請求項３】
齧歯類がマウス又はラットである、請求項２に記載の方法。
【請求項４】
ステップａ）の哺乳類細胞がヒトの細胞である、請求項１に記載の方法。
【請求項５】
細胞が、膵臓細胞、筋肉細胞、肝細胞、腎細胞、脳細胞又は脂肪細胞である、請求項１〜４のいずれか１項に記載の方法。
【請求項６】
哺乳類細胞が細胞培養からのものである、請求項１に記載の方法。
【請求項７】
ＧＰＩ−ＰＬＣの活性が、ｈｃＤＩＧからのｐｐ５９Lynの解離を測定することによっ
て定量される、請求項１〜６のいずれか１項に記載の方法。
【請求項８】
ＧＰＩ−ＰＬＣの活性が、ｈｃＤＩＧからｌｃＤＩＧへのｐｐ５９Lyn及び／又はＧｃ
ｅ１の再分配を測定することによって定量される、請求項１〜６のいずれか１項に記載の方法。
【請求項９】
ＧＰＩ−ＰＬＣの活性が、ｐｐ５９Lyn及び／又はＩＲＳ−１のリン酸化の変化を測定
することによって定量される、請求項１〜６のいずれか１項に記載の方法。
【請求項１０】
ＧＰＩ−ＰＬＣの活性が、グルコース輸送の促進及び／又は脂質分解の阻害を測定することによって定量される、請求項１〜６のいずれか１項に記載の方法。
【請求項１１】
式Ｉ：
【化１】
2007522811.tif 000001
（式中、Ｒ1、Ｒ2、Ｒ3及びＲ4は、互いに独立して、ＯＨ又はＦのいずれかであり、そしてＲ5は、（Ｃ1−Ｃ20）−アルキル又は（Ｃ1−Ｃ20）−アルケニルである）の化
合物、全てのその立体異性体の形態、及び全ての比率のそれらの混合物並びに生理的に許容されるその塩。
【請求項１２】
Ｒ1、Ｒ2、Ｒ3及びＲ4のいずれか２つが互いに独立してＦである、請求項１１に記載の式Ｉの化合物。
【請求項１３】
Ｒ1、Ｒ2、Ｒ3及びＲ4がＯＨである、請求項１１に記載の式Ｉの化合物。
【請求項１４】
Ｒ5がＣ12−アルキルである、請求項１１〜１３のいずれか１項に記載の式Ｉの化合物
。
【請求項１５】
ａ）ラセミ体の１，４，５，６−テトラ−Ｏ−ベンジル−ミオ−イノシトールをリン酸化してテトラ−Ｏ−ベンジル−ミオ−イノシトール−１，２−シクロドデシルホスホン酸を得；
ｂ）テトラ−Ｏ−ベンジル−ミオ−イノシトール−１，２−シクロドデシルホスホン酸を接触水素化してそれぞれの化合物を得る；
ことを含む、請求項１１〜１４のいずれか１項に記載の化合物の製造方法。
【請求項１６】
請求項１１〜１４のいずれか１項に記載の少なくとも１つの式Ｉの化合物及び／又は生理的に許容される塩及び／又はそのプロドラッグ、及び医薬として許容される担体を含む医薬組成物。
【請求項１７】
糖尿病の治療のために使用される薬剤の副作用を変えるための、請求項１１〜１４のいずれか１項に記載の式Ｉの化合物及び／又は生理的に許容されるその塩及び／又はそのプロドラッグの使用。
【請求項１８】
薬剤がグリメピリドである、請求項１７に記載の式Ｉの化合物の使用。
【請求項１９】
糖尿病の治療のために使用される薬剤の副作用を治療するための医薬組成物を製造するための、請求項１１〜１４のいずれか１項に記載の式Ｉの化合物の使用。
【請求項２０】
薬剤がグリメピリドである、請求項１９に記載の式Ｉの化合物の使用。
【請求項２１】
ａ）哺乳類細胞をグリメピリドと化合物との混合物と共にインキュベートし；
ｂ）ａ）の細胞のｈｃＤＩＧを調製し；そして
ｃ）ｂ）のｈｃＤＩＧからのＧＰＩ−ＰＬＣの活性を定量する；
ことを含むグリメピリドの活性を調節する化合物の同定方法。
【請求項２２】
ステップａ）の哺乳類細胞が齧歯類又はイヌの細胞である、請求項２１に記載の方法。
【請求項２３】
齧歯類がマウス又はラットである、請求項２２に記載の方法。
【請求項２４】
ステップａ）の哺乳類細胞がヒトの細胞である、請求項２１に記載の方法。
【請求項２５】
細胞が、膵臓細胞、筋肉細胞、肝細胞、腎細胞、脳細胞又は脂肪細胞である、請求項２１〜２４のいずれか１項に記載の方法。
【請求項２６】
哺乳類細胞が細胞培養からのものである、請求項２１に記載の方法。
【請求項２７】
ＧＰＩ−ＰＬＣの活性が、ｈｃＤＩＧｓからのｐｐ５９Lynの解離を測定することによ
って定量される、請求項２１〜２６のいずれか１項に記載の方法。
【請求項２８】
ＧＰＩ−ＰＬＣの活性が、ｈｃＤＩＧからｌｃＤＩＧへのｐｐ５９Lyn及び／又はＧｃ
ｅ１の再分配を測定することによって定量される、請求項２１〜２６のいずれか１項に記載の方法。
【請求項２９】
ＧＰＩ−ＰＬＣの活性が、ｐｐ５９Lyn及び／又はＩＲＳ−１のリン酸化の変化を測定
することによって定量される、請求項２１〜２６のいずれか１項に記載の方法。
【請求項３０】
ＧＰＩ−ＰＬＣの活性が、グルコース輸送の促進及び／又は脂質分解の阻害を測定することによって決定される、請求項２１〜２６のいずれか１項に記載の方法。
【請求項３１】
脂肪細胞の原形質膜を横切るシグナル伝達の間にＤＩＧ中のシグナル伝達タンパク質を同定するための、請求項１１〜１４のいずれか１項に記載の式Ｉの化合物の使用。
【請求項３２】
ＧＰＩ−ＰＬＣ及び／又は依存性のシグナル伝達因子の哺乳類の変異体を同定及び特性付けるための、請求項１１〜１４のいずれか１項に記載の式Ｉの化合物の使用。
【手続補正書】
【提出日】平成20年7月11日(2008.7.11)
【手続補正１】
【補正対象書類名】特許請求の範囲
【補正対象項目名】全文
【補正方法】変更
【補正の内容】
【特許請求の範囲】
【請求項１】
組み換えアデノウイルス調製物から遊離アデノウイルスタンパク質を除去するための方法であって、遊離アデノウイルスタンパク質を含む組み換えアデノウイルス調製物を、陰イオン交換基を含む荷電フィルターにかけるステップを備えることを特徴とする方法。
【請求項２】
前記組み換えアデノウイルス調製物は、サブグループBの組み換えアデノウイルスを含むことを特徴とする請求項１に記載の方法。
【請求項３】
前記組み換えアデノウイルスがAd35組み換えアデノウイルスである請求項１または２に記載の方法。
【請求項４】
サブグループBの組み換えアデノウイルス粒子の精製方法であって、サブグループBの組み換えアデノウイルス粒子を、陰イオン交換フィルター精製ステップにかけるステップを備えることを特徴とする方法。
【請求項５】
前記サブグループBの組み換えアデノウイルスがAd35組み換えアデノウイルスである請求項４記載の方法。
【請求項６】
陰イオン交換基を含む荷電フィルターを、組み換えアデノウイルス調製物から遊離アデノウイルスタンパク質を除去するために使用する方法。
【請求項７】
出血熱ウイルスの核タンパク質をコードする核酸配列を含むウイルスを生成するための方法であって、
a) 前記ウイルスを感染させた宿主細胞を培養するステップと、
b) 前記ウイルスを含む宿主細胞の前記培養物を、宿主細胞を溶解することによって処理し、前記ウイルスを含む溶解物を提供するステップと、
c) ウイルスを陰イオン交換クロマトグラフィーにかけるステップであって、陰イオン交換クロマトグラフィーによる処理後に、混合物を含むウイルスを、少なくとも1MのNaClまたは同等なイオン強度を供する他の塩を含む溶液、および／または少なくとも1%の界面活性剤を含む溶液によってバッファー交換することを特徴とするステップ、
とによって構成される方法。
【請求項８】
混合物を含むウイルスを、少なくとも1MのNaClまたは同等なイオン強度を供する他の塩を含む溶液によって、少なくとも1回バッファー交換することを特徴とする、請求項７に記載の方法。
【請求項９】
前記ウイルスが組み換えアデノウイルスであることを特徴とする、請求項７または請求項８に記載の方法。
【請求項１０】
前記出血熱ウイルスがエボラウイルスである特徴とする、請求項７〜９のいずれか１項に記載の方法。
【請求項１１】
前記溶液は、少なくとも1.5MのNaClまたは同等なイオン強度を供する他の塩を含むことを特徴とする、請求項８〜１０のいずれか１項に記載の方法。
【請求項１２】
前記溶液は、少なくとも2MのNaClまたは同等なイオン強度を供する他の塩を含むことを特徴とする、請求項１１に記載の方法。
【請求項１３】
前記溶液は、少なくとも3MのNaClまたは同等なイオン強度を供する他の塩を含むことを特徴とする、請求項１２に記載の方法。
【請求項１４】
前記溶液は、約5MのNaClまたは同等なイオン強度を供する他の塩を含むことを特徴とする、請求項１３に記載の方法。
【請求項１５】
1.2μm又はそれ以下の孔径を有する親水性フィルターを通してバッファー交換した、混合物を含むウイルスを、さらに濾過することを特徴とする、請求項７〜１４のいずれか１項に記載の方法。
【請求項１６】
前記孔径は約0.45μmまたは約0.22μmであることを特徴とする、請求項１５に記載の方法。
【請求項１７】
バッファー交換した混合物を含むウイルスを、粒径排除クロマトグラフィーにかけるステップをさらに備えることを特徴とする、請求項７〜１６のいずれか１項に記載の方法。
【手続補正書】
【提出日】平成19年12月28日(2007.12.28)
【手続補正１】
【補正対象書類名】特許請求の範囲
【補正対象項目名】請求項３
【補正方法】変更
【補正の内容】
【請求項３】
前記気泡形成手段は、前記剛性のスパージャーに取り付けられた有孔フィルムから成る請求項２に記載の容器。
【手続補正２】
【補正対象書類名】特許請求の範囲
【補正対象項目名】請求項４
【補正方法】変更
【補正の内容】
【請求項４】
前記気泡形成手段は、前記剛性のスパージャーに取り付けられたガス透過性フィルムから成る請求項２に記載の容器。
【手続補正３】
【補正対象書類名】特許請求の範囲
【補正対象項目名】請求項７
【補正方法】変更
【補正の内容】
【請求項７】
前記剛性のスパージャーは、更に、前記磁気流体素子を、それが該容器内に位置づけされたとき、受容して原位置に保持するための第１受け器を含む請求項６に記載の容器。
【手続補正４】
【補正対象書類名】明細書
【補正対象項目名】００５４
【補正方法】変更
【補正の内容】
【００５４】
剛性部分１４の前面１４ｃには、更に、袋１０の内部と、チューブＵを介して外部ガス源に通じる第２通路１４ｅとに連通する第１通路１４ｄが形成されている。かくして、チューブＵを介して導入されたガスは、第１通路１４ｂを通って袋１０の内部に流入する。第１通路１４ｂは、気泡形成手段を構成する有孔部片１０６と組み合わせることができる。図示の好ましい実施形態では、第１通路１４ｂは、環状であり、有孔部片１０６を受容するための座置棚１４ｄを有する。有孔部片１０６は、パーフォレーション（やはりサブミリ範囲のサイズであることが好ましい）を形成する複数の穴又は孔を有するプラスチックフィルムの環状部片であり、所定位置に溶接される。図示の実施形態においてこのような太陽に形成されたスパージャー１００は、流体撹拌素子１８に密に近接したところで気泡を放出するので、袋内の流体全体に亘っての気泡の分散作用を向上させる。
【手続補正５】
【補正対象書類名】明細書
【補正対象項目名】００５５
【補正方法】変更
【補正の内容】
【００５５】
図１０ａ、１０ｂに示される本発明の他の実施形態においては、スパージャー１００は、袋１０に結合された剛性部分１４と一体にされている。剛性部分１４は、やはり、流体撹拌素子１８を受容するための内方突出支柱２０の形とした受け器と、外方に突出した心合部材２６を含む。この実施形態の支柱２０は、例えば袋１０の開口又は開放端を通して外部ガス源（図示せず）に結合されたチューブＵに接続するための入口２１ａと、気泡形成手段として機能する有効又はガス透過性材で形成された外壁２１ｂを有する。支柱２０の剛性を高めるために、外壁２１ｂと同心の中心支持体２１ｃを設けることもできる。
【手続補正６】
【補正対象書類名】図面
【補正対象項目名】図８
【補正方法】変更
【補正の内容】
【図８】
2007522801.tif 000001
【手続補正７】
【補正対象書類名】図面
【補正対象項目名】図９
【補正方法】変更
【補正の内容】
【図９】
2007522801.tif 000002
【手続補正８】
【補正対象書類名】図面
【補正対象項目名】図１０ａ
【補正方法】変更
【補正の内容】
【図１０ａ】
2007522801.tif 000003
【手続補正９】
【補正対象書類名】図面
【補正対象項目名】図１０ｂ
【補正方法】変更
【補正の内容】
【図１０ｂ】
2007522801.tif 000004
【手続補正１０】
【補正対象書類名】図面
【補正対象項目名】図１１
【補正方法】変更
【補正の内容】
【図１１】
2007522801.tif 000005
【手続補正書】
【提出日】平成20年1月11日(2008.1.11)
【手続補正１】
【補正対象書類名】特許請求の範囲
【補正対象項目名】全文
【補正方法】変更
【補正の内容】
【特許請求の範囲】
【請求項１】
エフェクター又は補助因子を検出するためのセンサーシステムであって、前記センサーシステムが、
（a）補助因子結合部位と、任意にエフェクター結合部位とを含む、核酸酵素；
（b）第一のポリヌクレオチドを含む、前記核酸酵素の基質；
（c）第二のポリヌクレオチドを含む、第一の粒子セット；及び
（d）第三のポリヌクレオチドを含む、第二の粒子セット；
を含み、ここで、前記第一のポリヌクレオチドは、前記第二のポリヌクレオチドを含むか又は前記第二のポリヌクレオチドと少なくとも部分的に相補的であり、前記第一のポリヌクレオチドは、前記第三のポリヌクレオチドを含むか又は前記第三のポリヌクレオチドと少なくとも部分的に相補的であり、前記第二の粒子セットは少なくとも35nmの直径を有する、前記センサーシステム。
【請求項２】
第二のポリヌクレオチドがその3'末端で第一の粒子セットに付着し、且つ第三のポリヌクレオチドがその5'末端で第二の粒子セットに付着している、請求項1のセンサーシステム。
【請求項３】
核酸酵素がDNAを含む、請求項1又は2のセンサーシステム。
【請求項４】
第一の粒子セット及び第二の粒子セットが、金属、半導体及びラテックスから成る群から選択される物質を含む、請求項1〜3のいずれか1項のセンサーシステム。
【請求項５】
第一の粒子セット及び第二の粒子セットが金を含む、請求項1〜4のいずれか1項のセンサーシステム。
【請求項６】
エフェクター又は補助因子が、窒素肥料、農薬、ダイオキシン、フェノール、2,4-ジクロロフェノキシ酢酸、Pb(II)、Hg(II)、As(III）、UO2(II)、Fe(III)、Zn(II)、Cu(II)、Co(II)、グルコース、インシュリン、hCGホルモン、HIV、HIVタンパク質、炭疽、天然痘、神経ガス、TNT、DNT、コカイン及び抗生物質からなる群から選択される、請求項1〜5のいずれか1項のセンサーシステム。
【請求項７】
請求項1〜6のいずれか1項のセンサーシステムをサンプルと混合する工程を含む、エフェクター又は補助因子を検出する方法。
【請求項８】
混合が10〜45℃の温度で実施される、請求項7の方法。
【手続補正書】
【提出日】平成19年11月12日(2007.11.12)
【手続補正１】
【補正対象書類名】特許請求の範囲
【補正対象項目名】請求項１
【補正方法】変更
【補正の内容】
【請求項１】
走行モータ（２）、
走行ギヤ（２１）、
操舵モータ（４）、及び、
操舵ギヤ（５、３２、３２’）
を有するフロアコンベヤ用の操舵および車輪駆動装置（１、５３、５４）であって、
当該装置により、ホイールハブ（２２）上に配置されている少なくとも一つの走行車輪（２３）を駆動可能であり、かつ、垂直軸（Ｖ）回りに旋回可能であり、
走行モータ（２）、操舵モータ（４）、及び、操舵ギヤ（５、３２、３２’）が互いに同軸に配置されており、
走行モータ（２）は、二つの平歯車（１９、２０）を介して走行ギヤを駆動するようになっており、
操舵モータ（４）は、走行モータ（２）に隣接して配置されている
ことを特徴とする操舵および車輪駆動装置。
【手続補正書】
【提出日】平成19年12月19日(2007.12.19)
【手続補正１】
【補正対象書類名】特許請求の範囲
【補正対象項目名】請求項１
【補正方法】変更
【補正の内容】
【請求項１】
車両用ステアリングシステムであって、
ステアリング操作装置（３）を一方の端でステアリングバルブ（５）のロータリーバルブまたはロータリーピストン（４）と第１ねじれ要素（６）を介して結合するステアリングシャフト（ステアリングコラム）（２）と、
ステアリングギヤ（９）の出力要素（８）の作動のための油圧サーボモータ（７）と、
前記出力要素（８）の作動のための電動サーボモータ（１０）と、
を備え、
油圧サーボモータ（７）の作動空間内の圧力媒体の流れは、ステアリングバルブ（５）によって制御されており、
電動サーボモータ（１０）およびステアリングシャフト（２）は、第１ねじれ要素（６）とロータリーバルブまたはロータリーピストン（４）との間の共通の回転要素（１１）に作用する
ことを特徴とするステアリングシステム。
【手続補正２】
【補正対象書類名】特許請求の範囲
【補正対象項目名】請求項１３
【補正方法】変更
【補正の内容】
【請求項１３】
第２ねじれ要素（１８）は、第１ねじれ要素（６）よりもねじれ強い
ことを特徴とする請求項１乃至１２のいずれかに記載のステアリングシステム。
【手続補正３】
【補正対象書類名】明細書
【補正対象項目名】０００８
【補正方法】変更
【補正の内容】
【０００８】
ステアリングシステムの電動サーボモータとステアリングシャフト（ステアリングコラム）とが共通の回転要素、例えば電動サーボモータのウォームが作用するウォーム歯車付き出力軸、に作用することによって、また、その共通の回転要素がステアリングシャフトまたは第１ねじれ要素とステアリングバルブのロータリーバルブまたはロータリーピストンとの間に配置されていることによって、ステアリングバルブは、ステアリング操作装置によっても電動サーボモータによっても制御され得て、そして油圧サーボモータとステアリングギヤの出力要素とが作動され得る。特に第１ねじれ要素のところで測定される回転角に応じて、電動サーボモータは、同一方向に（gleichsinnigen）ステアリング操作装置での作動トルクを補助するサーボモータトルクを出力するように制御され得る。
【手続補正４】
【補正対象書類名】明細書
【補正対象項目名】００１０
【補正方法】変更
【補正の内容】
【００１０】
電動サーボモータとそのモータ制御装置がすぐに使用できる状態にある場合、その電動サーボモータは、それがそのトルクをステアリングギヤの出力要素へ補助して制御するというように、同時かつ同一方向に油圧サーボモータに作用する。この電動サーボモータは、ステアリングシャフト内の作動トルクに基づく第１ねじれ要素またはトーションバーのねじれを測定する回転角センサーの信号によって、ステアリングシステムのまたは車両の制御装置および／または調整装置（レギュレータ）を介して、制御される。
【手続補正書】
【提出日】平成19年12月27日(2007.12.27)
【手続補正１】
【補正対象書類名】特許請求の範囲
【補正対象項目名】全文
【補正方法】変更
【補正の内容】
【特許請求の範囲】
【請求項１】
（ａ）（ｉ）希釈剤ポリエステル、(ii)ポリアミド材料、及び(iii)脱酸素材料、を含む
プレブレンドを調製すること、
（ｂ）ベースポリエステルを供給すること、
（ｃ）ステップ（ａ）のプレブレンド及びステップ（ｂ）のベースポリエステルを成形装置に導入して、前記プレブレンド及び前記ベースポリエステルを溶融し混合させしむこと、
（ｄ）ステップ（ｃ）の混合物を前記装置内で射出成形又は押出を行ってプリフォームを提
供し、及び
（ｅ）ステップ（ｄ）のプリフォームを膨張延伸してバリア層を有するプラスチック容器を提供すること、
の各工程を含み、
(f)ここで、得られたプラスチック容器は未充填貯蔵の間安定であり、バリア層は、水性流動体で容器が満たされた後に活性化される脱酸素特性を示す、前記方法。
【請求項２】
請求項１記載の方法であって、前記プラスチック容器が多層プラスチック容器である、前記方法。
【請求項３】
請求項１記載の方法であって、前記プラスチック容器が単層プラスチック容器である、前記方法。
【請求項４】
請求項１記載の方法であって、前記ポリアミド材料は、ｍ−キシリレンジアミンモノマ
ーユニット、ｐ−キシリレンジアミンモノマーユニット、又はこれらの混合物を含むポリ
マーを含有している、前記方法。
【請求項５】
請求項１記載の方法であって、前記希釈剤ポリエステルは、ポリエチレンテレフタレート、ポリエチレンナフタレート、ポリブチレンテレフタレートのホモポリマー又はコポリマー、シクロヘキサンジメタノール／ポリエチレンテレフタレートコポリマー、又はこれらの混合物を含む、前記方法。
【請求項６】
請求項１記載の方法であって、前記脱酸素材料は、コバルト、鉄、ニッケル、銅、マン
ガン、及びこれらの混合物、又はこれらの塩若しくは錯体からなる群から選択される、前記方法。
【請求項７】
請求項１記載の方法であって、前記脱酸素材料は、重量で約２０ｐｐｍ〜約２０００ｐｐｍの量で前記プレブレンド中に存在している、前記方法。
【請求項８】
請求項１記載の方法であって、前記プレブレンドは：
ポリエチレンテレフタレート、ポリエチレンナフタレート、又はこれらの混合物を含む希釈剤ポリエステルを約３０重量％〜約７０重量％；
芳香族ポリアミド材料を含むポリアミド材料を約３０重量％〜約７０重量％；及び
遷移金属、またはその錯体もしくは塩を重量で約５０〜１５００ｐｐｍ
を含む、前記方法。
【請求項９】
請求項１記載の方法であって、前記プレブレンド及び前記ベースポリエステルは、約０．５重量％〜約２０重量％の前記プレブレンドと、約８０重量％〜約９９．５重量％の前記ベースポリエステルとの量で混合される、前記方法。
【請求項１０】
請求項１記載の方法であって、水充填から４８時間後のｃｃＯ2／パッケージ／日による酸素透過性が、水充填前の容器の酸素透過性より小さい、前記方法。